(57)【要約】      （修正有）【課題】木造家屋の防音室などを提供する。【解決手段】防音室１は、ベタ基礎２と、このベタ基礎２上に立設され、第一の防音材を内包する二重壁３と、屋根１０から吊設され、第二の防音材を内包する二重天井４とを備え、前記二重壁３と、前記二重天井４とが、ほぼ切れ目なく連なるとともに、前記ベタ基礎２上に、第三の防音材を挟みこんだ状態で床材５が載置されたので、内部に重量物である音源９を収容できる。この音源９からの音漏れの心配がなくなる結果、たとえ深夜においてさえも、大音響の楽器を存分に演奏することができる。【選択図】図１
2017226951.tif 000002
【特許請求の範囲】
【請求項１】
木造家屋の防音室であって、
ベタ基礎と、このベタ基礎上に立設され、第一の防音材を内包する二重壁と、屋根から吊設され、第二の防音材を内包する二重天井とを備え、
前記二重壁と、前記二重天井とが、ほぼ切れ目なく連なるとともに、
前記ベタ基礎上に、第三の防音材を挟みこんだ状態で床材が載置されたことを特徴とする防音室。
【請求項２】
前記ベタ基礎の周囲を立ち上げるとともに、該立ち上がり部内に前記第三の防音材を延長して挟みこんだ状態で床材の周囲が当接するように構成したことを特徴とする請求項１記載の防音室。
【請求項３】
前記二重壁及び前記二重天井の少なくとも一部に遮音材を配置したことを特徴とする請求項１又は２記載の防音室。
【請求項４】
前記二重壁周囲における第一の所定位置の下部から中間部を切り欠いた開口部に、第四の防音材を内包する二重扉を開閉自在に備えたことを特徴とする請求項１〜３のいずれか１項に記載の防音室。
【請求項５】
前記二重壁周囲における第二の所定位置の中間部を切り欠いた開口部に、少なくとも二重のガラス窓を備えたことを特徴とする請求項１〜４のいずれか１項に記載の防音室。
【請求項６】
前記二重壁周囲における第三の所定位置の上部を貫通するダクトを設けるとともに、前記二重天井又は前記二重壁に換気装置を設けて、前記ダクトを少なくとも二回は屈曲させた状態で、前記換気装置に接続したことを特徴とする請求項１〜５のいずれか１項に記載の防音室。
【請求項７】
前記二重壁下部の木造部分にシロアリ対策を施工可能としたことを特徴とする請求項１〜６のいずれか１項に記載の防音室。
【請求項８】
前記屋根上に太陽光発電パネルを配置したことを特徴とする請求項１〜７のいずれか１項に記載の防音室。
【請求項９】
前記屋根からの雨水を集める天水桶と、該天水桶に溜まった雨水を散布する散布装置とを設けたことを特徴とする請求項１〜８のいずれか１項に記載の防音室。
【請求項１０】
木造家屋の床構造であって、
床下の強度部材に対応した床上の部位間に架設される補強部材を備えたことを特徴とする床構造。
【発明の詳細な説明】
【技術分野】
【０００１】
本発明は、木造家屋の防音室及び床構造に関する。
【背景技術】
【０００２】
例えば特許文献１では、下階側天井材である天井プラスタボードとの間に隙間を残して、床根太を除く上階側床材である床合板の下面に、止め金具を用いて吸音材グラスウールを密着固定する防音施工を行った木造家屋が開示されている。
【０００３】
上記特許文献１によれば、防音効果に優れ、２階の部屋からの騒音が下階側の部屋へ伝搬し難くなる、と記載されている。
【発明の概要】
【発明が解決しようとする課題】
【０００４】
しかしながら、特許文献１のように、床下に隙間を残したのでは、防音室に収容される音源が重量物の場合に耐震上の問題があり、いわゆる音漏れの問題も解消できない。また、既存の家屋を利用する場合、音源が重量物であると、それを支持する床下の補強にはコストがかかるので、そのコストの低減を図りたいとの要請もあった。
【０００５】
本発明は、このような事情に鑑みてなされたもので、音源が重量物である場合にも対応可能な木造家屋の防音室及び床構造を提供することを目的とする。
【課題を解決するための手段】
【０００６】
本発明は、木造家屋の防音室であって、ベタ基礎と、このベタ基礎上に立設され、第一の防音材を内包する二重壁と、屋根から吊設され、第二の防音材を内包する二重天井とを備え、前記二重壁と、前記二重天井とが、ほぼ切れ目なく連なるとともに、前記ベタ基礎上に、第三の防音材を挟みこんだ状態で床材が載置されたことを特徴とするものである。
【０００７】
本発明によれば、ベタ基礎と、このベタ基礎上に立設され、第一の防音材を内包する二重壁と、屋根から吊設され、第二の防音材を内包する二重天井とを備え、前記二重壁と、前記二重天井とが、ほぼ切れ目なく連なるとともに、前記ベタ基礎上に、第三の防音材を挟みこんだ状態で床材が載置されたので、内部に重量物である音源を収容できる。
【０００８】
この音源からの音漏れの心配がなくなる結果、たとえ深夜においてさえも、大音響の楽器を存分に演奏することができる。
【０００９】
請求項２記載の発明のように、前記ベタ基礎の周囲を立ち上げるとともに、該立ち上がり部内に前記第三の防音材を延長して挟みこんだ状態で床材の周囲が当接することが好ましい。
【００１０】
請求項２記載の発明によれば、前記ベタ基礎の周囲を立ち上げるとともに、該立ち上がり部内に前記第三の防音材を延長して挟みこんだ状態で床材の周囲が当接するので、地震の際の縦揺れ、横揺れの両方に対応できる。
【００１１】
請求項３記載の発明のように、前記二重壁及び前記二重天井の少なくとも一部に遮音材を配置することが好ましい。
【００１２】
請求項３記載の発明によれば、前記二重壁及び前記二重天井の少なくとも一部に遮音材を配置するので、反射音が少なくなる。
【００１３】
請求項４記載の発明のように、前記二重壁周囲における第一の所定位置の下部から中間部を切り欠いた開口部に、第四の防音材を内包する二重扉を開閉自在に備えることが好ましい。
【００１４】
請求項４記載の発明によれば、前記二重壁周囲における第一の所定位置の下部から中間部を切り欠いた開口部に、第四の防音材を内包する二重扉を開閉自在に備えたので、人の出入りや音源の搬出入ができる。
【００１５】
請求項５記載の発明のように、前記二重壁周囲における第二の所定位置の中間部を切り欠いた開口部に、少なくとも二重のガラス窓を備えることが好ましい。
【００１６】
請求項５記載の発明によれば、前記二重壁周囲における第二の所定位置の中間部を切り欠いた開口部に、少なくとも二重のガラス窓を備えたので、明り取りができる。
【００１７】
請求項６記載の発明のように、前記二重壁周囲における第三の所定位置の上部を貫通するダクトを設けるとともに、前記二重天井又は前記二重壁に換気装置を設けて、前記ダクトを少なくとも二回は屈曲させた状態で、前記換気装置に接続することが好ましい。
【００１８】
請求項６記載の発明によれば、前記二重壁周囲における第三の所定位置の上部を貫通するダクトを設けるとともに、前記二重天井又は前記二重壁に換気装置を設けて、前記ダクトを少なくとも二回は屈曲させた状態で、前記換気装置に接続するので、換気ファンや空調装置による換気ができる。
【００１９】
請求項７記載の発明のように、前記二重壁下部の木造部分にシロアリ対策を施工可能とすることが好ましい。
【００２０】
請求項７記載の発明によれば、前記二重壁下部の木造部分にシロアリ対策を施工可能としたので、シロアリ被害を防止することができる。
【００２１】
請求項８記載の発明のように、前記屋根上に太陽光発電パネルを配置可能とすることが好ましい。
【００２２】
請求項８記載の発明によれば、前記屋根上に太陽光発電パネルを配置可能としたので、太陽光発電による省エネを図ることができる。
【００２３】
請求項９記載の発明のように、前記屋根からの雨水を集める天水桶と、該天水桶に溜まった雨水を散布する散布装置とを設けることが好ましい。
【００２４】
請求項９記載の発明によれば、前記屋根からの雨水を集める天水桶と、該天水桶に溜まった雨水を散布する散布装置とを設けたので、例えばこの雨水を再び屋根に戻して散布することができる。
【００２５】
請求項１０記載の発明は、木造家屋の床構造であって、床下の強度部材に対応した床上の部位間に架設される補強部材を備えたことを特徴とするものである。
【００２６】
請求項１０記載の発明によれば、床下の強度部材に対応した床上の部位間に架設される補強部材を備えたので、床を後付で簡単かつ確実に補強することができる。
【００２７】
したがって、この床構造の上に防音室を設置した場合には、従来よりもはるかに低コストでありながら、床の剛性が高くなり、防音性能、耐震性能が向上する。
【発明の効果】
【００２８】
本発明によれば、ベタ基礎と、このベタ基礎上に立設され、第一の防音材を内包する二重壁と、屋根から吊設され、第二の防音材を内包する二重天井とを備え、前記二重壁と、前記二重天井とが、ほぼ切れ目なく連なるとともに、前記ベタ基礎上に、第三の防音材を挟みこんだ状態で床材が載置されたので、内部に重量物である音源を収容できる。
【００２９】
この音源からの音漏れの心配がなくなる結果、たとえ深夜においてさえも、大音響の楽器を存分に演奏することができる。
【００３０】
請求項９記載の発明によれば、床下の強度部材に対応した床上の部位間に架設される補強部材を備えたので、床を後付で簡単かつ確実に補強することができる。
【００３１】
したがって、この床構造の上に防音室を設置した場合には、従来よりもはるかに低コストでありながら、床の剛性が高くなり、防音性能、耐震性能が向上する。
【図面の簡単な説明】
【００３２】
【図１】本発明の実施形態１に係る防音室の外観を示す斜視図である。
【図２】実施形態１に係る防音室の詳細構造を示す縦断面図である。
【図３】実施形態１に係る防音室の主として電気系統を示すブロック図である。
【図４】本発明の実施形態２に係る床構造を示す図であって、（ａ）は平面図、（ｂ）は正面図である。
【発明を実施するための形態】
【００３３】
（実施形態１）
図１は本発明の実施形態１に係る防音室１の外観を示す斜視図、図２は実施形態１に係る防音室の詳細構造を示す縦断面図である。ただし、図１の紙面に向かって左側が防音室１の北側に対応しており、右側が防音室１の西側に対応している。本発明者は、プラントメーカーのエンジニアとして、長年にわたり、防音対策などに従事してきた経験を生かして、自宅の敷地内に、実際に防音室１を作り、そこで得られた成果を以下に記す。
【００３４】
図１，図２に示すように、この防音室１は、独立した木造家屋であって、基本的には、柱や梁などの主要な構造部分が木材でつくられているが、その内部に重量物である音源９を収容可能なものである。重量物である音源９としては、重さが５００ｋｇを超えるようなグランドピアノや大型自動演奏楽器などが挙げられる。
【００３５】
ここでは、砕石２１上に打設したコンクリート製のベタ基礎２と、このベタ基礎２上に立設され、グラスウール（第一の防音材に相当する。）３１を二層にしてパネルボードに内包する二重壁３と、屋根１０から防振ハンガー４２で吊設され、これもグラスウール（第二の防音材に相当する。）４１を二層にしてパネルボードに内包する二重天井４と、を備え、二重壁３と、二重天井４とが、ほぼ切れ目なく連なるとともに、ベタ基礎２上に、ロックウール（第三の防音材に相当する。）２２を二層にして挟みこんだ状態でコンクリート製の床材５が載置されている。
【００３６】
グラスウールは各層でそれぞれ１００ｍｍ程度の厚みをなしており、ロックウールは各層でそれぞれ２５ｍｍ程度の厚みをなしている。また、ベタ基礎２と二重壁３との間と、二重壁３と二重天井４との間とは、パッキンやシーラーなどで有意な隙間をなくしている。
【００３７】
ベタ基礎２は、地震の際の縦揺れには強いが、横揺れまでを阻止するものではない。そこで、ベタ基礎２の周囲を立ち上げるとともに、この立ち上がり部内にロックウール２２を延長して挟みこんだ状態で床材５の周囲が当接するようになっている。これにより、地震の際の縦揺れのみならず、横揺れにも対応できるようになっている。
【００３８】
また、室内平面での対称性を少なくするとともに、その縦横比を大きく変えており、これにより音源９から発せられる音波が壁反射しても干渉しにくくなっている。これに加えて、二重壁３の北側内面のパネルボードに例えばフェルト製の遮音シート（遮音材に相当する。）３２を貼り付けるとともに、二重天井４の下側内面のパネルボードには例えば吸音パネルを採用しており、これにより前記壁反射そのものを少なくしている。
【００３９】
前記二重壁３の周囲のうち、北側及び西側（第一の所定位置に相当する。）の下部から中間部にかけて、その厚み方向にわずかな段部を設けることで外広がりに切り欠いた開口部を設けるとともに、そこにグラスウール（第四の防音材に相当する。）などを内包する二重扉６ａ，６ｂを開閉自在に備えている。
【００４０】
二重扉６ａ，６ｂとそれに対応する前記開口部との間には、音波のすり抜けをなくすためにパッキンを介在させている。二重扉６ａは音源９の搬出入のために設けた、比較的大型の扉であって、互いに対向するように配置された内扉と外扉との間に、空間を少しだけ設けて、演奏中は閉状態としているものである。二重扉６ｂは人の出入りのために設けた、比較的小型の扉であって、互いに直角に設けた内扉と外扉との間に、人がとどまることのできる程度の空間を設けた、いわゆるエアーロック式を採用することで、演奏中でも開閉できるようになっている。
【００４１】
前記二重壁３の周囲のうち、前記二重扉６ｂの横側（第二の所定位置に相当する。）の中間部にかけて、その厚み方向にわずかな段部を設けて外広がりに切り欠いた開口部を設けるとともに、そこに三重のガラス窓７を着脱可能に取り付けている。これにより、いわゆる明り取りができるようになっている。また、図示はしていないが、同様のガラス窓を東側にも設けている。
【００４２】
前記二重壁３の周囲のうち、前記二重扉６ｂの上部（第三の所定位置に相当する。）を貫通するダクト８，８を設けるとともに、前記二重天井４又は前記二重壁３に換気装置１４を設けて、前記ダクト８，８を少なくとも二回は屈曲させた状態で、前記換気装置１４に接続している（図３参照）。前記ダクトのうち、一方は吸気用であり、他方は排気用であるが、いずれも防露用の断熱材を施工している。これにより、ダクト８，８からの音漏れを少なくして、室内の換気ができるとともに、その室内の湿度上昇を抑えるようにもなっている。
【００４３】
ここで、前記ダクト８，８の屈曲させる具体的な方法としては、それぞれ同一方向に４５度ずつ二回以上屈曲させることが好ましい。これにより、ダクト８，８内を通過する空気による管路抵抗の増大をできるだけ少なくして、換気性能を確保する一方、前記ダクト内を音波がすり抜けることによる音漏れを減少させることができる。
【００４４】
前記二重壁３の下部の木造部分３２に、略０．３〜１ｍの間隔でもって小穴を開けておき、そこに防虫剤の薬液を注入した上で、各小穴をパテなどで埋め戻すことにより、いわゆるシロアリ対策を施している。ただし、前記二重壁３の上部の木造部分３３と、両木造部分３２，３３間の図示しない柱については、シロアリ対策は特に施していないが、建設段階で使用するすべての木造部分を予め防虫処理しておくことが好ましい。
【００４５】
前記防音室１ではないが、本発明者は、同様の木造家屋で、前記屋根１０上に太陽光発電パネル１１を配置した経験をもっており、その発電効率を向上するために、太陽光発電パネル１１の水洗浄をすることを考えた。具体的には、屋根１０からの雨水は天水桶１２を介して太陽光発電パネル１１の洗浄水として利用できるようにする。その場合の電気系統と水系統とを示すブロック図を図３に示した。なお、図３中の破線が電気系統、二点鎖線が水系統を示す。
【００４６】
図３に示すように、太陽光発電パネル１１で発生した直流（ＤＣ）は、インバータ５０１で交流（ＡＣ）に変換されて、配電盤５０２で散水装置１３、換気装置１４、その他の電気機器（エアコン、照明、楽器など）に給電される。ここで、余った電力は蓄電池５０３に蓄電されるか、電力量計５０４を経由して系統に戻されて売電される一方、不足電力は蓄電池５０３から給電されるか、電力量計５０４を経由して系統から給電されることとなる。
【００４７】
屋根１０から図示しない樋で集められた雨水は、地面ＧＬ付近に設けられた天水桶１２に一旦蓄えられ、所定のタイミングにて前記散水装置１３で太陽光発電パネル１１の洗浄水として散水されるようにする。所定のタイミングは、黄沙や鳥糞などで太陽光発電パネル１１が汚れたときなど不定期なものであってもよいし、定期的なものであってもよい。
【００４８】
この散水は、夏場において、ある程度は、室内の保冷効果を奏するものであり、冬場において、ある程度は、積雪を融解させる効果を奏するものである。天水桶１２の貯水だけでは散水量が追い付かない場合は、水道水や井戸水を利用することができるようにし、天水桶１２の貯水が余る場合は、庭園への散水などに利用することもできるようにしている。太陽光発電パネル１１は屋根１０上に載置しており、その屋根１０の修理時などには簡単に取り外しでき、その修復も簡単にすることができるようになっている。
【００４９】
防音室１の完成後に、その室内のほぼ中央に音源９を配置した。この音源９は、ピアノやドラムの音などを組み合わせて、高音域から低音域にわたるものとした。しかる後に、音源９をオンオフしながら、騒音計を使用して、そのＡ特性を実際に測定してみた。その結果、音源９の騒音レベルが最大１１０ｄｂであった場合でも、室外の騒音レベルは３０〜４０ｄｂ程度となり、実に７０〜８０ｄｂ程度もの減音効果があった。
【００５０】
ここで、音源９をオン状態としたとき、その音源９から１ｍ離れた位置での測定値は最大１１０ｄｂであり、このときの二重壁３の外壁面から１ｍ離れた位置での測定値は３０ｄｂ程度であり、三重ガラス窓７の直ぐ外側での計測値は４０ｄｂ程度であった。音源９をオフ状態としたとき、その音源９から１ｍ離れた位置での測定値は３０ｄｂ程度、二重壁３の外壁面から１ｍ離れた位置での測定値は３０ｄｂ程度、三重ガラス窓７の直ぐ外側での計測値は３０ｄｂ程度であった。なお、３０ｄｂは室外の環境音（雨音など）と同じ騒音レベルである。
【００５１】
したがって、この防音室１では、ほぼ完全に音漏れがなくなることがわかった。市販の防音室では２０〜４０ｄｂ程度の減音効果しかないことから、せっかく防音室を設けても多少の音漏れがあることに比べて、画期的な成果であるといえる。
【００５２】
以上説明したように、本実施形態１の防音室１によれば、ベタ基礎２と、このベタ基礎２上に立設され、グラスウール３１を内包する二重壁３と、屋根１０から吊設され、グラスウール４１を内包する二重天井４とを備え、前記二重壁３と、前記二重天井４とが、ほぼ切れ目なく連なるとともに、前記ベタ基礎２上に、ロックウール２２を挟みこんだ状態で床材５が載置されたので、内部に重量物である音源９を収容できる。
【００５３】
この音源９からの音漏れの心配がなくなる結果、たとえ深夜においてさえも、大音響の楽器を存分に演奏することができる。
【００５４】
（実施形態２）
上記実施形態１は独立家屋で防音室１を構成した例であるが、既存の木造家屋の２階などに簡易な防音室１０５を設置したいことがある。本実施形態２は、そのような例を示すもので、図４は本発明の実施形態２に係る床構造１００を示す図であって、（ａ）は平面図、（ｂ）は正面図である。上記実施形態１の防音室１での成果を受けて、本発明者は、さらに木造家屋の自宅２階に、実際に床構造１００を作った。ただし、防音室１０５自体は、防音性能が３５ｄｂ程度の市販品を使用した。床構造１００で得られた成果を以下に記す。
【００５５】
現行の建築基準法施工令の第８５条（積載荷重）で定められている『室の床の積載荷重』については『住宅の居室、住宅以外の建築物における寝室又は病室』において１８００Ｎ／ｍ２（約１８０ｋｇ／ｍ２）となっている。
【００５６】
一方、住宅の２階の床上に例えばアップライトピアノを置こうとすると、その音漏れを防止するために、防音室を設けてその中にアップライトピアノを収容するのが通常である。しかし、２〜３ｍ２程度の床面積を有する防音室１０５の重量は、簡易なものでも５００ｋｇ以上であり、その中に収容するアップライトピアノの重量（約３００ｋｇ）と人間の体重（約５０ｋｇ）とが加算されると、全体で約３１７〜４７５ｋｇ／ｍ２となり、前記積載荷重（約１８０ｋｇ／ｍ２）をとてもクリアすることができない。したがって、隣との間隔があまりとれない、例えば都会の住宅の２階の床上に、アップライトピアノを収容した防音室１０５を直接載置することは困難であった。
【００５７】
そこで、住宅の床構造の補強をすることになるが、従来は、既存の木造家屋で、後付けで補強するには、床板を剥がして、梁間に根太を追加した上で、床板を復旧していた。そのように手間のかかる作業をなくすため、本実施形態２の床構造１００では、図４（ａ）（ｂ）に示すように、床１０２下の梁（強度部材に相当する。）１０１に対応した床１０２上の部位間に架設される補強根太（補強部材に相当する。）１０３を所定間隔（約３０ｃｍ間隔）で備えている。
【００５８】
補強根太１０３として、例えば□型鋼を使用することで、補強に伴う床１０４の嵩上げ高さを抑えることができるようになっている。
【００５９】
この床構造１００の完成後の室内の一部における床の嵩上げ量は５０ｍｍ程度で済むことがわかった。その嵩上げした床のほぼ中央に約２５０ｋｇ／ｍ２の防音室１０５を設置し、その中に総重量が５０ｋｇ程度の音源を実際に入れて加振してみた結果、当該床の縦揺れ、横揺れともに無視できる程度となっていることがわかった。
【００６０】
ここで、防音室１０５の防音性能は、騒音計で測定はしていないが、カタログ値の３５ｄｂ程度であると考える。この防音室１０５は、２０ｄｂ程度の防音効果は期待できる室内に設置していることから、実用的には問題なしと考えた。
【００６１】
以上説明したように、本実施形態２の床構造１００では、床１０２下の梁１０１に対応した床１０２上の部位間に架設される補強根太１０３を備えたので、床１０２を後付で簡単かつ確実に補強することができる。
【００６２】
したがって、この床構造１００の上に防音室１０５を設置した場合には、床１０２の剛性が高くなり、耐震性能が向上することがわかった。
【００６３】
なお、上記実施形態１では、防音室１，１０５として、音楽室を例示しているが、その他大型インコや犬などの鳴き声の大きいペットを飼育する目的を有する防音室などであってもよい。
【００６４】
また、上記実施形態１では、独立家屋で防音室１を構成しているが、必ずしも完全に独立した家屋でなくてもよく、例えば母屋の１階部分を防音室１としてもよい。
【００６５】
また、上記実施形態１では、第一、第二及び第四の防音材としてグラスウールを使用し、第三の防音材としてロックウールを使用しているが、そのいずれであってもよいし、その他同等の性能を有する材料であってもよい。
【００６６】
また、グラスウールやロックウールなどは優れた断熱性能を有することから、外気温度が多少変動したとしても、室内温度はほぼ一定に維持できるので、楽器等の保管に有利であるといえる。
【００６７】
ただし、外気温度がさらに高温或いは低温となった場合や、楽器や照明からの発熱量がある場合や、人間が入室している場合などの条件によっては、換気装置１４だけでは十分とはいえないこともあり、その場合は、図示しないエアコンなどで対応すればよい。
【００６８】
また、上記実施形態１では、三重のガラス窓７を設けているが、少なくとも二重のガラス窓７であればよい。このガラスに代えて、透明なアクリルを採用してもよい。
【００６９】
また、上記実施形態２では、床構造１００上に、重量物である音源を収容した防音室１０５を載置しているが、住宅の構造上で防音が担保されるならば、その床構造１００の床上に重量物である音源を直接載置してもよい。これは、音源であるアップライトピアノやグランドピアノなどを直接床上に載置する場合に相当する。
【００７０】
また、上記実施形態２では、木造家屋の２階の床に適用しているが、その１階の床に適用してもよい。特に借家の場合は、床上の補強を取り外し可能としておけばよい。さらに、本発明の適用範囲は、木造家屋に限定されず、マンションの床であってもよい。
【符号の説明】
【００７１】
１  防音室
２  ベタ基礎
３  二重壁
４  二重天井
５  床材
６ａ，６ｂ  二重扉
７  三重窓
８  換気装置
９  音源
１０  屋根
１１  太陽光発電パネル
１２  天水桶
１３  散水装置
１４  換気装置
１５  その他の電気機器
【先行技術文献】
【特許文献】
【００７２】
【特許文献１】特開２００５−２６４７１５公報
【図１】
2017226951.tif 000003
【図２】
2017226951.tif 000004
【図３】
2017226951.tif 000005
【図４】
2017226951.tif 000006
【手続補正書】
【提出日】平成29年3月1日(2017.3.1)
【手続補正１】
【補正対象書類名】特許請求の範囲
【補正対象項目名】全文
【補正方法】変更
【補正の内容】
【特許請求の範囲】
【請求項１】
木造家屋の防音室であって、
ベタ基礎と、このベタ基礎上に立設され、第一の防音材を内包する二重壁と、屋根から吊設され、第二の防音材を内包する二重天井とを備え、
前記二重壁と、前記二重天井とが、ほぼ切れ目なく連なるとともに、
前記ベタ基礎上に、第三の防音材を挟みこんだ状態で床材が載置され、
前記ベタ基礎の周囲を立ち上げるとともに、該立ち上がり部内に前記第三の防音材を延長して挟みこんだ状態で床材の周囲が当接するように構成したことを特徴とする防音室。
【請求項２】
前記二重壁周囲における第一の所定位置の下部から中間部を切り欠いた開口部に、第四の防音材を内包する二重扉を開閉自在に備え、
前記二重壁周囲における第二の所定位置の中間部を切り欠いた開口部に、少なくとも二重のガラス窓又は透明なアクリル窓を備え、かつ、
前記二重壁周囲における第三の所定位置の上部を貫通するダクトを設けるとともに、前記二重天井又は前記二重壁に換気装置を設けて、前記ダクトを少なくとも二回は屈曲させた状態で、前記換気装置に接続したことを特徴とする請求項１記載の防音室。
【請求項３】
前記二重壁下部の木造部分にシロアリ対策を施工可能としたことを特徴とする請求項１又は２記載の防音室。
【請求項４】
請求項１〜３のいずれか１項に記載の木造家屋の防音室の少なくとも２階の床構造であって、
床下の強度部材に対応した床上の部位間に架設される補強部材を備えたことを特徴とする床構造。
【手続補正２】
【補正対象書類名】明細書
【補正対象項目名】全文
【補正方法】変更
【補正の内容】
【発明の詳細な説明】
【技術分野】
【０００１】
本発明は、木造家屋の防音室及び床構造に関する。
【背景技術】
【０００２】
例えば特許文献１では、下階側天井材である天井プラスタボードとの間に隙間を残して、床根太を除く上階側床材である床合板の下面に、止め金具を用いて吸音材グラスウールを密着固定する防音施工を行った木造家屋が開示されている。
【０００３】
上記特許文献１によれば、防音効果に優れ、２階の部屋からの騒音が下階側の部屋へ伝搬し難くなる、と記載されている。
【発明の概要】
【発明が解決しようとする課題】
【０００４】
しかしながら、特許文献１のように、床下に隙間を残したのでは、防音室に収容される音源が重量物の場合に耐震上の問題があり、いわゆる音漏れの問題も解消できない。また、既存の家屋を利用する場合、音源が重量物であると、それを支持する床下の補強にはコストがかかるので、そのコストの低減を図りたいとの要請もあった。
【０００５】
本発明は、このような事情に鑑みてなされたもので、音源が重量物である場合にも対応可能な木造家屋の防音室及び床構造を提供することを目的とする。
【課題を解決するための手段】
【０００６】
本発明は、木造家屋の防音室であって、ベタ基礎と、このベタ基礎上に立設され、第一の防音材を内包する二重壁と、屋根から吊設され、第二の防音材を内包する二重天井とを備え、前記二重壁と、前記二重天井とが、ほぼ切れ目なく連なるとともに、前記ベタ基礎上に、第三の防音材を挟みこんだ状態で床材が載置されたことを特徴とするものである。
【０００７】
本発明によれば、ベタ基礎と、このベタ基礎上に立設され、第一の防音材を内包する二重壁と、屋根から吊設され、第二の防音材を内包する二重天井とを備え、前記二重壁と、前記二重天井とが、ほぼ切れ目なく連なるとともに、前記ベタ基礎上に、第三の防音材を挟みこんだ状態で床材が載置されたので、内部に重量物である音源を収容できる。
【０００８】
この音源からの音漏れの心配がなくなる結果、たとえ深夜においてさえも、大音響の楽器を存分に演奏することができる。
【０００９】
ここで、前記ベタ基礎の周囲を立ち上げるとともに、該立ち上がり部内に前記第三の防音材を延長して挟みこんだ状態で床材の周囲が当接することが好ましい。
【００１０】
この場合、前記ベタ基礎の周囲を立ち上げるとともに、該立ち上がり部内に前記第三の防音材を延長して挟みこんだ状態で床材の周囲が当接するので、地震の際の縦揺れ、横揺れの両方に対応できる。
【００１１】
ここで、前記二重壁及び前記二重天井の少なくとも一部に遮音材を配置することが好ましい。
【００１２】
この場合、前記二重壁及び前記二重天井の少なくとも一部に遮音材を配置するので、反射音が少なくなる。
【００１３】
請求項２記載の発明のように、前記二重壁周囲における第一の所定位置の下部から中間部を切り欠いた開口部に、第四の防音材を内包する二重扉を開閉自在に備えることが好ましい。
【００１４】
請求項２記載の発明によれば、前記二重壁周囲における第一の所定位置の下部から中間部を切り欠いた開口部に、第四の防音材を内包する二重扉を開閉自在に備えたので、人の出入りや音源の搬出入ができる。
【００１５】
ここで、前記二重壁周囲における第二の所定位置の中間部を切り欠いた開口部に、少なくとも二重のガラス窓又は透明なアクリル窓を備えることが好ましい。
【００１６】
この場合、前記二重壁周囲における第二の所定位置の中間部を切り欠いた開口部に、少なくとも二重のガラス窓又は透明なアクリル窓を備えたので、明り取りができる。
【００１７】
ここで、前記二重壁周囲における第三の所定位置の上部を貫通するダクトを設けるとともに、前記二重天井又は前記二重壁に換気装置を設けて、前記ダクトを少なくとも二回は屈曲させた状態で、前記換気装置に接続することが好ましい。
【００１８】
この場合、前記二重壁周囲における第三の所定位置の上部を貫通するダクトを設けるとともに、前記二重天井又は前記二重壁に換気装置を設けて、前記ダクトを少なくとも二回は屈曲させた状態で、前記換気装置に接続するので、換気ファンや空調装置による換気ができる。
【００１９】
請求項３記載の発明のように、前記二重壁下部の木造部分にシロアリ対策を施工可能とすることが好ましい。
【００２０】
請求項３記載の発明によれば、前記二重壁下部の木造部分にシロアリ対策を施工可能としたので、シロアリ被害を防止することができる。
【００２１】
ここで、前記屋根上に太陽光発電パネルを配置可能とすることが好ましい。
【００２２】
この場合、前記屋根上に太陽光発電パネルを配置可能としたので、太陽光発電による省エネを図ることができる。
【００２３】
ここで、前記屋根からの雨水を集める天水桶と、該天水桶に溜まった雨水を散布する散布装置とを設けることが好ましい。
【００２４】
この場合、前記屋根からの雨水を集める天水桶と、該天水桶に溜まった雨水を散布する散布装置とを設けたので、例えばこの雨水を再び屋根に戻して散布することができる。
【００２５】
請求項４記載の発明は、請求項１〜３のいずれか１項に記載の木造家屋の防音室の少なくとも２階の床構造であって、床下の強度部材に対応した床上の部位間に架設される補強部材を備えたことを特徴とするものである。
【００２６】
請求項４記載の発明によれば、床下の強度部材に対応した床上の部位間に架設される補強部材を備えたので、床を後付で簡単かつ確実に補強することができる。
【００２７】
したがって、この床構造の上に重量物である音源を設置した場合には、従来よりもはるかに低コストでありながら、床の剛性が高くなり、防音性能、耐震性能が向上する。
【発明の効果】
【００２８】
本発明によれば、ベタ基礎と、このベタ基礎上に立設され、第一の防音材を内包する二重壁と、屋根から吊設され、第二の防音材を内包する二重天井とを備え、前記二重壁と、前記二重天井とが、ほぼ切れ目なく連なるとともに、前記ベタ基礎上に、第三の防音材を挟みこんだ状態で床材が載置されたので、内部に重量物である音源を収容できる。
【００２９】
この音源からの音漏れの心配がなくなる結果、たとえ深夜においてさえも、大音響の楽器を存分に演奏することができる。
【００３０】
請求項４記載の発明によれば、床下の強度部材に対応した床上の部位間に架設される補強部材を備えたので、床を後付で簡単かつ確実に補強することができる。
【００３１】
したがって、この床構造の上に重量物である音源を設置した場合には、従来よりもはるかに低コストでありながら、床の剛性が高くなり、防音性能、耐震性能が向上する。
【図面の簡単な説明】
【００３２】
【図１】本発明の実施形態１に係る防音室の外観を示す斜視図である。
【図２】実施形態１に係る防音室の詳細構造を示す縦断面図である。
【図３】実施形態１に係る防音室の主として電気系統を示すブロック図である。
【図４】本発明の実施形態２に係る床構造を示す図であって、（ａ）は平面図、（ｂ）は正面図である。
【発明を実施するための形態】
【００３３】
（実施形態１）
図１は本発明の実施形態１に係る防音室１の外観を示す斜視図、図２は実施形態１に係る防音室の詳細構造を示す縦断面図である。ただし、図１の紙面に向かって左側が防音室１の北側に対応しており、右側が防音室１の西側に対応している。本発明者は、プラントメーカーのエンジニアとして、長年にわたり、防音対策などに従事してきた経験を生かして、自宅の敷地内に、実際に防音室１を作り、そこで得られた成果を以下に記す。
【００３４】
図１，図２に示すように、この防音室１は、独立した木造家屋であって、基本的には、柱や梁などの主要な構造部分が木材でつくられているが、その内部に重量物である音源９を収容可能なものである。重量物である音源９としては、重さが５００ｋｇを超えるようなグランドピアノや大型自動演奏楽器などが挙げられる。
【００３５】
ここでは、砕石２１上に打設したコンクリート製のベタ基礎２と、このベタ基礎２上に立設され、グラスウール（第一の防音材に相当する。）３１を二層にしてパネルボードに内包する二重壁３と、屋根１０から防振ハンガー４２で吊設され、これもグラスウール（第二の防音材に相当する。）４１を二層にしてパネルボードに内包する二重天井４と、を備え、二重壁３と、二重天井４とが、ほぼ切れ目なく連なるとともに、ベタ基礎２上に、ロックウール（第三の防音材に相当する。）２２を二層にして挟みこんだ状態でコンクリート製の床材５が載置されている。
【００３６】
グラスウールは各層でそれぞれ１００ｍｍ程度の厚みをなしており、ロックウールは各層でそれぞれ２５ｍｍ程度の厚みをなしている。また、ベタ基礎２と二重壁３との間と、二重壁３と二重天井４との間とは、パッキンやシーラーなどで有意な隙間をなくしている。
【００３７】
ベタ基礎２は、地震の際の縦揺れには強いが、横揺れまでを阻止するものではない。そこで、ベタ基礎２の周囲を立ち上げるとともに、この立ち上がり部内にロックウール２２を延長して挟みこんだ状態で床材５の周囲が当接するようになっている。これにより、地震の際の縦揺れのみならず、横揺れにも対応できるようになっている。
【００３８】
また、室内平面での対称性を少なくするとともに、その縦横比を大きく変えており、これにより音源９から発せられる音波が壁反射しても干渉しにくくなっている。これに加えて、二重壁３の北側内面のパネルボードに例えばフェルト製の遮音シート（遮音材に相当する。）３２を貼り付けるとともに、二重天井４の下側内面のパネルボードには例えば吸音パネルを採用しており、これにより前記壁反射そのものを少なくしている。
【００３９】
前記二重壁３の周囲のうち、北側及び西側（第一の所定位置に相当する。）の下部から中間部にかけて、その厚み方向にわずかな段部を設けることで外広がりに切り欠いた開口部を設けるとともに、そこにグラスウール（第四の防音材に相当する。）などを内包する二重扉６ａ，６ｂを開閉自在に備えている。
【００４０】
二重扉６ａ，６ｂとそれに対応する前記開口部との間には、音波のすり抜けをなくすためにパッキンを介在させている。二重扉６ａは音源９の搬出入のために設けた、比較的大型の扉であって、互いに対向するように配置された内扉と外扉との間に、空間を少しだけ設けて、演奏中は閉状態としているものである。二重扉６ｂは人の出入りのために設けた、比較的小型の扉であって、互いに直角に設けた内扉と外扉との間に、人がとどまることのできる程度の空間を設けた、いわゆるエアーロック式を採用することで、演奏中でも開閉できるようになっている。
【００４１】
前記二重壁３の周囲のうち、前記二重扉６ｂの横側（第二の所定位置に相当する。）の中間部にかけて、その厚み方向にわずかな段部を設けて外広がりに切り欠いた開口部を設けるとともに、そこに三重のガラス窓７を着脱可能に取り付けている。これにより、いわゆる明り取りができるようになっている。また、図示はしていないが、同様のガラス窓を東側にも設けている。
【００４２】
前記二重壁３の周囲のうち、前記二重扉６ｂの上部（第三の所定位置に相当する。）を貫通するダクト８，８を設けるとともに、前記二重天井４又は前記二重壁３に換気装置１４を設けて、前記ダクト８，８を少なくとも二回は屈曲させた状態で、前記換気装置１４に接続している（図３参照）。前記ダクトのうち、一方は吸気用であり、他方は排気用であるが、いずれも防露用の断熱材を施工している。これにより、ダクト８，８からの音漏れを少なくして、室内の換気ができるとともに、その室内の湿度上昇を抑えるようにもなっている。
【００４３】
ここで、前記ダクト８，８の屈曲させる具体的な方法としては、それぞれ同一方向に４５度ずつ二回以上屈曲させることが好ましい。これにより、ダクト８，８内を通過する空気による管路抵抗の増大をできるだけ少なくして、換気性能を確保する一方、前記ダクト内を音波がすり抜けることによる音漏れを減少させることができる。
【００４４】
前記二重壁３の下部の木造部分３２に、略０．３〜１ｍの間隔でもって小穴を開けておき、そこに防虫剤の薬液を注入した上で、各小穴をパテなどで埋め戻すことにより、いわゆるシロアリ対策を施している。ただし、前記二重壁３の上部の木造部分３３と、両木造部分３２，３３間の図示しない柱については、シロアリ対策は特に施していないが、建設段階で使用するすべての木造部分を予め防虫処理しておくことが好ましい。
【００４５】
前記防音室１ではないが、本発明者は、同様の木造家屋で、前記屋根１０上に太陽光発電パネル１１を配置した経験をもっており、その発電効率を向上するために、太陽光発電パネル１１の水洗浄をすることを考えた。具体的には、屋根１０からの雨水は天水桶１２を介して太陽光発電パネル１１の洗浄水として利用できるようにする。その場合の電気系統と水系統とを示すブロック図を図３に示した。なお、図３中の破線が電気系統、二点鎖線が水系統を示す。
【００４６】
図３に示すように、太陽光発電パネル１１で発生した直流（ＤＣ）は、インバータ５０１で交流（ＡＣ）に変換されて、配電盤５０２で散水装置１３、換気装置１４、その他の電気機器（エアコン、照明、楽器など）に給電される。ここで、余った電力は蓄電池５０３に蓄電されるか、電力量計５０４を経由して系統に戻されて売電される一方、不足電力は蓄電池５０３から給電されるか、電力量計５０４を経由して系統から給電されることとなる。
【００４７】
屋根１０から図示しない樋で集められた雨水は、地面ＧＬ付近に設けられた天水桶１２に一旦蓄えられ、所定のタイミングにて前記散水装置１３で太陽光発電パネル１１の洗浄水として散水されるようにする。所定のタイミングは、黄沙や鳥糞などで太陽光発電パネル１１が汚れたときなど不定期なものであってもよいし、定期的なものであってもよい。
【００４８】
この散水は、夏場において、ある程度は、室内の保冷効果を奏するものであり、冬場において、ある程度は、積雪を融解させる効果を奏するものである。天水桶１２の貯水だけでは散水量が追い付かない場合は、水道水や井戸水を利用することができるようにし、天水桶１２の貯水が余る場合は、庭園への散水などに利用することもできるようにしている。太陽光発電パネル１１は屋根１０上に載置しており、その屋根１０の修理時などには簡単に取り外しでき、その修復も簡単にすることができるようになっている。
【００４９】
防音室１の完成後に、その室内のほぼ中央に音源９を配置した。この音源９は、ピアノやドラムの音などを組み合わせて、高音域から低音域にわたるものとした。しかる後に、音源９をオンオフしながら、騒音計を使用して、そのＡ特性を実際に測定してみた。その結果、音源９の騒音レベルが最大１１０ｄｂであった場合でも、室外の騒音レベルは３０〜４０ｄｂ程度となり、実に７０〜８０ｄｂ程度もの減音効果があった。
【００５０】
ここで、音源９をオン状態としたとき、その音源９から１ｍ離れた位置での測定値は最大１１０ｄｂであり、このときの二重壁３の外壁面から１ｍ離れた位置での測定値は３０ｄｂ程度であり、三重ガラス窓７の直ぐ外側での計測値は４０ｄｂ程度であった。音源９をオフ状態としたとき、その音源９から１ｍ離れた位置での測定値は３０ｄｂ程度、二重壁３の外壁面から１ｍ離れた位置での測定値は３０ｄｂ程度、三重ガラス窓７の直ぐ外側での計測値は３０ｄｂ程度であった。なお、３０ｄｂは室外の環境音（雨音など）と同じ騒音レベルである。
【００５１】
したがって、この防音室１では、ほぼ完全に音漏れがなくなることがわかった。市販の防音室では２０〜４０ｄｂ程度の減音効果しかないことから、せっかく防音室を設けても多少の音漏れがあることに比べて、画期的な成果であるといえる。
【００５２】
以上説明したように、本実施形態１の防音室１によれば、ベタ基礎２と、このベタ基礎２上に立設され、グラスウール３１を内包する二重壁３と、屋根１０から吊設され、グラスウール４１を内包する二重天井４とを備え、前記二重壁３と、前記二重天井４とが、ほぼ切れ目なく連なるとともに、前記ベタ基礎２上に、ロックウール２２を挟みこんだ状態で床材５が載置されたので、内部に重量物である音源９を収容できる。
【００５３】
この音源９からの音漏れの心配がなくなる結果、たとえ深夜においてさえも、大音響の楽器を存分に演奏することができる。
【００５４】
（実施形態２）
上記実施形態１は独立家屋で防音室１を構成した例であるが、既存の木造家屋の２階などに簡易な防音室１０５を設置したいことがある。本実施形態２は、そのような例を示すもので、図４は本発明の実施形態２に係る床構造１００を示す図であって、（ａ）は平面図、（ｂ）は正面図である。上記実施形態１の防音室１での成果を受けて、本発明者は、さらに木造家屋の自宅２階に、実際に床構造１００を作った。ただし、防音室１０５自体は、防音性能が３５ｄｂ程度の市販品を使用した。床構造１００で得られた成果を以下に記す。
【００５５】
現行の建築基準法施工令の第８５条（積載荷重）で定められている『室の床の積載荷重』については『住宅の居室、住宅以外の建築物における寝室又は病室』において１８００Ｎ／ｍ２（約１８０ｋｇ／ｍ２）となっている。
【００５６】
一方、住宅の２階の床上に例えばアップライトピアノを置こうとすると、その音漏れを防止するために、防音室を設けてその中にアップライトピアノを収容するのが通常である。しかし、２〜３ｍ２程度の床面積を有する防音室１０５の重量は、簡易なものでも５００ｋｇ以上であり、その中に収容するアップライトピアノの重量（約３００ｋｇ）と人間の体重（約５０ｋｇ）とが加算されると、全体で約３１７〜４７５ｋｇ／ｍ２となり、前記積載荷重（約１８０ｋｇ／ｍ２）をとてもクリアすることができない。したがって、隣との間隔があまりとれない、例えば都会の住宅の２階の床上に、アップライトピアノを収容した防音室１０５を直接載置することは困難であった。
【００５７】
そこで、住宅の床構造の補強をすることになるが、従来は、既存の木造家屋で、後付けで補強するには、床板を剥がして、梁間に根太を追加した上で、床板を復旧していた。そのように手間のかかる作業をなくすため、本実施形態２の床構造１００では、図４（ａ）（ｂ）に示すように、床１０２下の梁（強度部材に相当する。）１０１に対応した床１０２上の部位間に架設される補強根太（補強部材に相当する。）１０３を所定間隔（約３０ｃｍ間隔）で備えている。
【００５８】
補強根太１０３として、例えば□型鋼を使用することで、補強に伴う床１０４の嵩上げ高さを抑えることができるようになっている。
【００５９】
この床構造１００の完成後の室内の一部における床の嵩上げ量は５０ｍｍ程度で済むことがわかった。その嵩上げした床のほぼ中央に約２５０ｋｇ／ｍ２の防音室１０５を設置し、その中に総重量が５０ｋｇ程度の音源を実際に入れて加振してみた結果、当該床の縦揺れ、横揺れともに無視できる程度となっていることがわかった。
【００６０】
ここで、防音室１０５の防音性能は、騒音計で測定はしていないが、カタログ値の３５ｄｂ程度であると考える。この防音室１０５は、２０ｄｂ程度の防音効果は期待できる室内に設置していることから、実用的には問題なしと考えた。
【００６１】
以上説明したように、本実施形態２の床構造１００では、床１０２下の梁１０１に対応した床１０２上の部位間に架設される補強根太１０３を備えたので、床１０２を後付で簡単かつ確実に補強することができる。
【００６２】
したがって、この床構造１００の上に防音室１０５を設置した場合には、床１０２の剛性が高くなり、耐震性能が向上することがわかった。
【００６３】
なお、上記実施形態１では、防音室１，１０５として、音楽室を例示しているが、その他大型インコや犬などの鳴き声の大きいペットを飼育する目的を有する防音室などであってもよい。
【００６４】
また、上記実施形態１では、独立家屋で防音室１を構成しているが、必ずしも完全に独立した家屋でなくてもよく、例えば母屋の１階部分を防音室１としてもよい。
【００６５】
また、上記実施形態１では、第一、第二及び第四の防音材としてグラスウールを使用し、第三の防音材としてロックウールを使用しているが、そのいずれであってもよいし、その他同等の性能を有する材料であってもよい。
【００６６】
また、グラスウールやロックウールなどは優れた断熱性能を有することから、外気温度が多少変動したとしても、室内温度はほぼ一定に維持できるので、楽器等の保管に有利であるといえる。
【００６７】
ただし、外気温度がさらに高温或いは低温となった場合や、楽器や照明からの発熱量がある場合や、人間が入室している場合などの条件によっては、換気装置１４だけでは十分とはいえないこともあり、その場合は、図示しないエアコンなどで対応すればよい。
【００６８】
また、上記実施形態１では、三重のガラス窓７を設けているが、少なくとも二重のガラス窓７であればよい。このガラスに代えて、透明なアクリルを採用してもよい。
【００６９】
また、上記実施形態２では、床構造１００上に、重量物である音源を収容した防音室１０５を載置しているが、住宅の構造上で防音が担保されるならば、その床構造１００の床上に重量物である音源を直接載置してもよい。これは、音源であるアップライトピアノやグランドピアノなどを直接床上に載置する場合に相当する。
【００７０】
また、上記実施形態２では、木造家屋の２階の床に適用しているが、その１階の床に適用してもよい。特に借家の場合は、床上の補強を取り外し可能としておけばよい。さらに、本発明の適用範囲は、木造家屋に限定されず、マンションの床であってもよい。
【符号の説明】
【００７１】
１  防音室
２  ベタ基礎
３  二重壁
４  二重天井
５  床材
６ａ，６ｂ  二重扉
７  三重窓
８  換気装置
９  音源
１０  屋根
１１  太陽光発電パネル
１２  天水桶
１３  散水装置
１４  換気装置
１５  その他の電気機器
【先行技術文献】
【特許文献】
【００７２】
【特許文献１】特開２００５−２６４７１５公報
【手続補正書】
【提出日】平成29年6月15日(2017.6.15)
【手続補正１】
【補正対象書類名】特許請求の範囲
【補正対象項目名】全文
【補正方法】変更
【補正の内容】
【特許請求の範囲】
【請求項１】
木造家屋の防音室であって、
ベタ基礎と、このベタ基礎上に立設され、第一の防音材を内包する二重壁と、屋根から吊設され、第二の防音材を内包する二重天井とを備え、
前記二重壁と、前記二重天井とが、ほぼ切れ目なく連なるとともに、
前記ベタ基礎上に、第三の防音材を挟みこんだ状態で床材が載置され、
前記ベタ基礎の周囲を立ち上げるとともに、該立ち上がり部内に前記第三の防音材を延長して挟みこんだ状態で床材の周囲が当接するように構成したことを特徴とする防音室。
【請求項２】
前記二重壁周囲における第一の所定位置の下部から中間部を切り欠いた開口部に、第四の防音材を内包する二重扉を開閉自在に備え、
前記二重壁周囲における第二の所定位置の中間部を切り欠いた開口部に、少なくとも二重のガラス窓又は透明なアクリル窓を備え、かつ、
前記二重壁周囲における第三の所定位置の上部を貫通するダクトを設けるとともに、前記二重天井又は前記二重壁に換気装置を設けて、前記ダクトを少なくとも二回は屈曲させた状態で、前記換気装置に接続したことを特徴とする請求項１記載の防音室。
【請求項３】
前記二重壁下部に木造部分を有し、該木造部分に所定間隔でもって防虫剤の薬液を封入することにより、シロアリ対策を施工可能としたことを特徴とする請求項１又は２記載の防音室。
【請求項４】
請求項１〜３のいずれか１項に記載の木造家屋の防音室の少なくとも２階の床構造であって、
床下の強度部材に対応した床上の部位間に架設される補強部材を備えたことを特徴とする床構造。
【手続補正２】
【補正対象書類名】明細書
【補正対象項目名】００１９
【補正方法】変更
【補正の内容】
【００１９】
請求項３記載の発明のように、前記二重壁下部に木造部分を有し、該木造部分に所定間隔でもって防虫剤の薬液を封入することにより、シロアリ対策を施工可能とすることが好ましい。
【手続補正３】
【補正対象書類名】明細書
【補正対象項目名】００２０
【補正方法】変更
【補正の内容】
【００２０】
請求項３記載の発明によれば、前記二重壁下部に木造部分を有し、該木造部分に所定間隔でもって防虫剤の薬液を封入することにより、シロアリ対策を施工可能としたので、シロアリ被害を防止することができる。
【手続補正４】
【補正対象書類名】明細書
【補正対象項目名】００４４
【補正方法】変更
【補正の内容】
【００４４】
前記二重壁３の下部の木造部分３３に、略０．３〜１ｍの間隔でもって小穴を開けておき、そこに防虫剤の薬液を注入した上で、各小穴をパテなどで埋め戻すことにより、いわゆるシロアリ対策を施している。ただし、前記二重壁３の上部の木造部分３４と、両木造部分３３，３４間の図示しない柱については、シロアリ対策は特に施していないが、建設段階で使用するすべての木造部分を予め防虫処理しておくことが好ましい。